(57)【特許請求の範囲】
【請求項１】
ロータの回転により釣り糸を巻き取るスピニングリールのリール本体であって、
側部に形成された開口、内部に形成された機構収納空間、及び前記ロータの後部に形成された凹陥部内に配置されるように前部に形成され、前記ロータの回転軸を支持する回転支持部を有するリールボディと、
前記開口を覆うように前記リールボディの側部に着脱自在に装着された蓋部材と、
前記凹陥部を塞ぐように前記凹陥部の後端面と略同一面に前記リールボディ並びに前記蓋部材にそれぞれ一体形成された第１及び第２フランジ部と、
前記第２フランジ部に設けられ、前記ロータの回転を規制する規制手段の構成部材を支持するための部材支持部と、を備え、
前記部材支持部は、前記構成部材としての切換レバーを揺動自在に支持し、
前記切換レバーは、前記規制手段のその他の部材に対して離反可能であり、前記規制手段の状態を切換操作可能である、スピニングリールのリール本体。
【請求項２】
前記リールボディと前記蓋部材とは、前記ロータを回転させるためのハンドルの回転軸を支持する１対の支持部をそれぞれ有している、請求項１に記載のスピニングリールのリール本体。
【請求項３】
前記規制手段は、前記ロータの糸繰り出し方向の回転を許可する逆転許可状態と禁止する逆転禁止状態とに切換可能な逆転防止機構であり、
前記部材支持部は、前記逆転防止機構を前記逆転禁止状態と前記逆転許可状態とに切換操作する前記切換レバーを揺動自在に支持する、請求項１又は２に記載のスピニングリールのリール本体。
【請求項４】
前記規制手段は、前記ロータの糸繰り出し方向の回転を所定制動状態と制動解除状態とに切換可能なロータ制動機構であり、
前記部材支持部は、前記ロータ制動機構を前記所定制動状態と前記制動解除状態とに切換操作する前記切換レバーを揺動自在に支持する、請求項１又は２に記載のスピニングリールのリール本体。
【発明の詳細な説明】
【０００１】
【発明の属する技術分野】
本発明は、リール本体、特に、ロータの回転により釣り糸を巻き取るスピニングリールのリール本体に関する。
【０００２】
【従来の技術】
スピニングリールは、一般に、内部に機構収納空間を有するリール本体と、リール本体の前部に配置されリール本体に回転自在に支持されたロータと、ロータの前方に配置されリール本体に進退自在に支持された糸巻用のスプールとを備えている。リール本体には、ハンドルが装着されており、機構収納空間内には、ハンドルの回転をロータに伝達するための回転伝達機構やハンドルの回転に連動してスプールを進退させるオシレーティング機構やロータの逆転を禁止する逆転防止機構の操作部（ストッパ軸）などの各種の機構が収納されている。
【０００３】
リール本体は、側部に開口を有する機構収納空間が内部に形成されたリールボディと、リールボディの開口を覆うようにリールボディに着脱自在に装着された蓋部材とを有している。リールボディの前部はロータの後部に形成された凹陥部内に配置されており、この前部には、ロータの回転軸を支持する回転支持部が形成されている。
【０００４】
また、リール本体の前部には、釣り糸や砂などの異物が凹陥部に入るのを防止するために、凹陥部を塞ぐようにフランジ部が設けられている。フランジ部は、回転支持部の後部で凹陥部の後端面と略同一面に形成されている。リールボディ及び蓋部材にそれぞれ一体形成された第１及び第２フランジ部でこのフランジ部を構成したリール本体が、実公平４−４３０１６号公報に開示されている。前記公報に開示された第１及び第２フランジ部は、リールボディと蓋部材とにそれぞれ凹陥部をカバーするようにそれぞれ一体形成されている。このようにフランジ部を２つに分割することで、蓋部材の強度を高く維持することができ、ハンドル軸の両端をリールボディと蓋部材とで支持した場合に、蓋部材の変形による駆動部分の摩耗を防止でき、耐久性を向上させることができる。また、フランジ部を分割することにより、回転伝達機構を構成するフェースギアを可及的に機構収納空間の前方に配置でき、リール本体の小型化を図ることもできる。
【０００５】
【発明が解決しようとする課題】
前記従来のリール本体には、たとえば逆転防止機構の操作部材や操作部材により動作する動作部材などを支持する機構支持部が設けられている。このような機構支持部は、リール本体の中心部にはロータの回転支持部が配置されているため、中心部から外れたフランジ部に配置されている。実際に機構を支持するには高い強度が必要なため、機構支持部は、従来、蓋部材に比べて強度が高いリールボディ側のフランジ部に設けられている。しかし、このように機構支持部をリールボディ側に設けると、部材の配置が制限される。このため、リールボディ側に支持のための空間が必要になり、リール本体の小型化を図りにくくなる。
【０００６】
本発明の課題は、分割された２つのフランジ部を有するスピニングリールのリール本体において、部材の配置の制限を緩和して小型化を図れるようにすることにある。
【０００７】
【課題を解決するための手段】
発明１に係るスピニングリールのリール本体は、ロータの回転により釣り糸を巻き取るスピニングリールのリール本体であって、リールボディと、蓋部材と、第１及び第２フランジ部と、部材支持部とを備えている。リールボディは、側部に形成された開口、内部に形成された機構収納空間、及びロータの後部に形成された凹陥部内に配置されるように前部に形成され、ロータの回転軸を支持する回転支持部とを有している。蓋部材は、開口を覆うようにリールボディの側部に着脱自在に装着された部材である。第１及び第２フランジ部は、凹陥部を塞ぐように凹陥部の後端面と略同一面にリールボディ及び蓋部材にそれぞれ一体形成されたものである。部材支持部は、第２フランジ部に設けられ、ロータの回転を規制する規制手段の構成部材を支持するためのものである。部材支持部は、構成部材としての切換レバーを揺動自在に支持し、切換レバーは、規制手段のその他の部材に対して離反可能であり、規制手段の状態を切換操作可能である。
【０００８】
このスピニングリールのリール本体では、分割された第１及び第２フランジ部うち、従来、機構を支持するのに使用されていなかった第２フランジ部に規制手段の構成部材を支持する部材支持部が設けられている。このため、リールボディ側で全ての機構を支持する必要がなくなり、部材の配置の制限を緩和でき、リール本体の小型化を図れるようになる。
【０００９】
発明２に係るスピニングリールのリール本体は、発明１に記載のリール本体において、リールボディと蓋部材とは、ロータを回転させるためのハンドルの回転軸を支持する１対の支持部をそれぞれ有している。この場合には、蓋部材に第２フランジ部が一体形成されているので、蓋部材の強度を高く維持でき、ハンドル軸を蓋部材で支持しても、蓋部材の変形による駆動部分の摩耗を防止でき、耐久性を向上させることができる。
【００１０】
発明３に係るスピニングリールのリール本体は、発明１又は２に記載の本体において、規制手段は、ロータの糸繰り出し方向の回転を許可する逆転許可状態と禁止する逆転禁止状態とに切換可能な逆転防止機構であり、部材支持部は、逆転防止機構を逆転禁止状態と逆転許可状態とに切換操作する切換レバーを揺動自在に支持する。この場合には、逆転防止機構の切換レバーの配置の制限を緩和できる。
【００１１】
発明４に係るスピニングリールのリール本体は、発明１又は２に記載の本体において、規制手段は、ロータの糸繰り出し方向の回転を所定制動状態と制動解除状態とに切換可能なロータ制動機構であり、操作部材支持部は、ロータ制動機構を所定制動状態と制動解除状態とに切換操作する切換レバーを揺動自在に支持する。この場合には、ロータ制動機構の切換レバーの配置の制限を緩和できる。
【００１２】
【発明の実施の形態】
〔全体構成〕
図１及び図２において、本発明の一実施形態を採用したスピニングリールはハンドル組立体１と、ハンドル組立体１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１３】
ハンドル組立体１は、マスターギア軸１０の左右のいずれからも装着可能であり、マスターギア軸１０に挿入されて回転不能に係止される。
【００１４】
〔リール本体の構成〕
リール本体２は、リール本体２の主部を構成し側部に開口２ｃを有するリールボディ２ａと、リールボディ２ａから斜め上前方に一体で延びるＴ字状の竿取付脚２ｂとを有している。
【００１５】
リールボディ２ａは、図２に示すように、内部に開口２ｃに連なる機構収納空間２６を有しており、その空間内には、ロータ３をハンドル組立体１の回転に連動して回転させるロータ駆動機構５と、スプール４を前後に移動させて釣り糸を均一に巻き取るためのオシレーティング機構６とが設けられている。
【００１６】
リールボディ２ａの開口２ｃは、図３に示すように、蓋部材２ｄにより塞がれている。蓋部材２ｄは、開口２ｃの周囲でリールボディ２ａにネジ止めされている。
【００１７】
リールボディ２ａの前部には、図３に示すように、第１フランジ部２ｅと第１フランジ部２ｅから突出する回転支持部２ｈとが形成されている。第１フランジ部２ｅは、弦と円弧とからなる部分が欠落したような略円形状であり、開口２ｃの前端に形成されている。第１フランジ部２ｅには、欠落部分の弦と円弧とからなる外形形状で形成された第２フランジ部２ｆが接触して配置されている。第２フランジ部２ｆは、蓋部材２ｄの前部に蓋部材２ｄと一体形成されている。第２フランジ部２ｆの前面は、回転支持部２ｈの後面に接触している。第２フランジ部２ｆは、機構収納空間２６に装着された各機構の部品装着を容易にするとともにマスターギア１１（後述）を可及的に前方に配置するために設けられている。また、第２フランジ部２ｆは、蓋部材２ｄの強度を高く維持するために形成されている。第２フランジ部２ｆには、後述する逆転防止機構５０（規制手段の一例）の切換レバー５３（構成部材の一例）を支持するための部材支持孔２ｇが形成されている。
【００１８】
回転支持部２ｈは、両フランジ部２ｅ，２ｆより小径の円形の外形を有している。回転支持部２ｈは、第１フランジ部２ｅから前方に突出しており、中心に後述するピニオンギア１２を回転自在に支持する軸受１４ａが配置されている。
【００１９】
図２に示すように、リールボディ２ａの右側面には、筒状のボス部１７ａが形成されている。ボス部１７ａは、マスターギア軸１０の右端を支持する軸受１６ａを収納するためにリールボディ２ａの内方に突出して形成されている。蓋部材２ｄのボス部１７ａに対向する位置には、ボス部１７ｂが形成されている。ボス部１７ｂはマスターギア軸１０の左端を支持する軸受１６ｂを収納するためにリールボディ２ａの内外方に突出して形成されている。ハンドル組立体１が装着された側と逆側のボス部（図２ではボス部１７ｂ）は、円形のカバー部材により閉塞されている。
【００２０】
〔ロータ駆動機構の構成〕
ロータ駆動機構５は、ハンドル組立体１が回転不能に装着されたマスターギア１１と、このマスターギア１１に噛み合うピニオンギア１２とを有している。
【００２１】
マスターギア１１は、マスターギア軸（ハンドル軸）１０と一体形成されている。マスターギア軸１０の両端は、軸受１６ａ，１６ｂを介してリールボディ２ａ及び蓋部材２ｄに回転自在に支持されている。
【００２２】
ピニオンギア１２は、図１に示すように、筒状の部材であり前後方向に沿って配置されリールボディ２ａに回転自在に装着されている。ピニオンギア１２の前部１２ａはロータ３の中心部を貫通しており、この貫通部分でナット３３によりロータ３と固定されている。ピニオンギア１２は、軸方向の中間部と後端部とでそれぞれ軸受１４ａ，１４ｂ（図３）を介してリールボディ２ａに回転自在に支持されている。このピニオンギア１２の内部をスプール軸１５が貫通している。ピニオンギア１２は、マスターギア１１に噛み合っており、ハンドル組立体１の回転に連動して回転する。
【００２３】
〔ロータの構成〕
ロータ３は、図１に示すように、ピニオンギア１２に固定された円筒部３０と、円筒部３０の側方に互いに対向して設けられた第１及び第２ロータアーム３１，３２と、釣り糸をスプール４に案内するための釣り糸案内機構としてのベールアーム４０とを有している。円筒部３０と両ロータアーム３１，３２とは、たとえばアルミニウム合金製であり一体成形されている。円筒部３０の先端中心部分が前述のようにナット３３によりピニオンギア１２の先端部に回転不能に固定されている。
【００２４】
円筒部３０の前部には前壁４１が形成されており、前壁４１の中心部には、ボス部４２が形成されている。このボス部４２の中心部にはピニオンギア１２に回転不能に係止される貫通孔が形成されており、この貫通孔をピニオンギア１２の前部１２ａ及びスプール軸１５が貫通している。円筒部３０の後部は凹陥部３０ａとなっており、この凹陥部３０ａ内にリールボディ２ａの回転支持部２ｈが配置されている。凹陥部３０ａは、図２に示すように、両フランジ部２ｅ，２ｆと僅かな隙間をあけて円形に形成されている。
【００２５】
〔逆転防止機構の構成〕
ボス部４２に隣接して円筒部３０の内部には、爪式のワンウェイクラッチで構成された逆転防止機構５０が配置されている。逆転防止機構５０は、ロータ３の糸繰り出し方向の回転（逆転）を禁止するためのものである。逆転防止機構５０は、図３及び図４に示すように、ラチェットホイール５１と、ラチェットホイール５１に係止する逆転禁止位置とラチェットホイール５１から離反する逆転許可位置とに揺動自在なラチェット爪５２と、ラチェット爪５２を逆転禁止位置と逆転許可位置とに切り換え操作するための切換レバー５３とを有している。
【００２６】
ラチェットホイール５１は、外周部に鋸歯状のラチェット歯５１ａが周方向に間隔を隔てて形成された部材であり、ピニオンギア１２に回転不能に装着されている。ラチェットホイール５１の中心には、ピニオンギア１２に形成された面取り部１２ｂに係止される小判孔５１ｂが形成されている。
【００２７】
ラチェット爪５２は、リールボディ２ａの前部の第１フランジ部２ｅに立設された揺動軸５６に揺動自在に装着され、揺動軸５６から両側に延びる板状部材である。揺動軸５６は、ピニオンギア１２と平行に配置されている。ラチェット爪５２は、先端にラチェットホイール５１のラチェット歯５１ａに当接する爪部５２ａを有している。また、先端と逆側に延びる基端に切換レバー５３に係合する係止部５２ｂを有している。また、中間部にラチェット爪５２を逆転禁止位置側に付勢するコイルばね５４の一端が係止されている。コイルばね５４の他端は第１フランジ部２ｅに係止されている。
【００２８】
切換レバー５３は、蓋部材２ｄの第２フランジ部２ｆの部材支持孔２ｇに装着された軸受ブッシュ５７を介して第２フランジ部２ｆに逆転禁止位置（図４実線）と逆転許可位置（図４二点鎖線）とに揺動自在に装着されている。切換レバー５３は、ピニオンギア１２と平行な軸回りに揺動し、捩じりコイルばねからなるトグルばね５５により、逆転禁止位置と逆転許可位置との両方に付勢されている。切換レバー５３は、軸受ブッシュ５７に装着された揺動軸５８と、揺動軸の基端にねじにより回転不能に装着されたレバー部材５９と、揺動軸５８の先端に回転不能に装着されたカム部材６０とを有している。揺動軸５８は、先端にカム部材６０を回転不能に係止するための平行な面取り部５８ａを有している。レバー部材５９は、第２フランジ部２ｆの後面下部に配置されている。カム部材６０は、ラチェット爪５２の係止部５２ｂに向かって径方向に延びるカム突起６０ａを有している。このカム突起６０ａを揺動させることにより、ラチェット爪５２が逆転許可位置と逆転禁止位置とに揺動する。
【００２９】
〔その他の構成〕
オシレーティング機構６は、減速ギア方式のものであり、マスターギア軸１０に一体形成された駆動ギア１０ａ（図２）に噛み合う回転部材２０と回転部材に連動して前後移動するスライダ２１とを有している。スライダ２１は、スプール軸１５の後端に回転不能かつ前後移動不能に装着されている。
【００３０】
スプール４は、図２に示すように、ロータ３の第１ロータアーム３１と第２ロータアーム３２との間に配置されており、スプール軸１５の先端部にスプール４の中心部がドラグ機構（図示せず）を介して連結されている。スプール４は、外周に釣り糸が巻かれる糸巻き胴部４ａと、糸巻き胴部４ａの後部に一体で形成されたスカート部４ｂと、糸巻き胴部４ａの前端に固定されたフランジ板４ｃとを有している。糸巻き胴部４ａは、円筒状の部材であり、外周面はスプール軸１５と平行な周面で構成されている
〔リールの操作及び動作〕
このスピニングリールでは、キャスティング時等の糸繰り出し時にはベールアーム４０を糸開放姿勢に倒す。この結果、釣り糸は仕掛けの自重によりスプール４の先端側から順に繰り出される。
【００３１】
糸巻取時には、ベールアーム４０を糸巻取姿勢側に戻す。これは、ハンドル組立体１を糸巻取方向に回転させると、図示しないベール反転機構の働きにより自動的に行われる。ハンドル組立体１の回転力は、マスターギア軸１０及びマスターギア１１を介してピニオンギア１２に伝達される。ピニオンギア１２に伝達された回転力は、その前部からロータ３に伝達されるとともに駆動ギア１０ａに噛み合う回転部材２０によりオシレーティング機構６に伝達される。この結果、ロータ３が糸巻取方向に回転するとともにスプール４が前後に往復移動する。
【００３２】
また、切換レバー５３を逆転禁止位置に操作すると、コイルばね５４により付勢されたラチェット爪５２が逆転禁止位置に配置され、ラチェットホイール５１に当接する。この結果、ラチェットホイール５１を介してロータ３の逆転が禁止される。また、切換レバー５３を逆転許可位置に操作すると、ラチェット爪５２が逆転禁止位置に配置され、ラチェットホイール５１から離反する。この結果、ロータ３の逆転が許可されロータ３は両方向に回転可能になる。
【００３３】
このように、切換レバー５３を蓋部材２ｄに支持するように構成したので、リールボディ２ａ側で全ての機構を支持する必要がなくなり、部材の配置の制限を緩和でき、リール本体２の小型化を図れるようになる。
【００３４】
〔他の実施形態〕
（ａ）  前記実施形態では、フロントドラグ型のスピニングリールを例に説明したが、リアドラグ型のスピニングリールやドラグを有さないスピニングリールやレバードラグ型のスピニングリール等の全てのスピニングリールのリール本体にも本発明は適用できる。
【００３５】
（ｂ）  前記実施形態では、規制手段として逆転防止機構を例示し、その構成部材として切換レバーを例示したが、規制手段は、ロータの糸繰り出し方向の回転を制動する逆転制動機構であってもよく、その構成部材は逆転制動機構を所定制動状態と制動解除状態とに切り換える切換レバーであってもよい。
【００３６】
（ｃ）前記実施形態では、逆転防止機構として爪式のものを例示したが、ローラクラッチを用いた逆転防止機構にも本発明を適用できる。
【００３７】
（ｄ）前記実施形態では、竿取付脚２ｂとリールボディ２ａとを一体的に形成したリール本体を例示したが、竿取付脚２ｂと蓋部材２ｄとを一体的に形成したリール本体にも本発明を適用できる。
【００３８】
【発明の効果】
本発明によれば、機構を支持するのに使用されていなかった第２フランジ部に規制手段の構成部材を支持する部材支持部が設けられている。このため、リールボディ側で全ての機構を支持する必要がなくなり、部材の配置の制限を緩和でき、リール本体の小型化を図れるようになる。
【図面の簡単な説明】
【図１】  本発明の一実施形態を採用したスピニングリールの左側面断面図。
【図２】  図１のII−II断面図。
【図３】  リール本体の分解斜視図。
【図４】  逆転防止機構の正面図。
【符号の説明】
１  ハンドル組立体
２  リール本体
２ａ  リールボディ
２ｃ  開口
２ｄ  蓋部材
２ｅ  第１フランジ部
２ｆ  第２フランジ部
２ｇ  部材支持孔
２ｈ  回転支持部
３  ロータ
１０  マスターギア軸
１２  ピニオンギア
１４ａ，１６ａ，１６ｂ  軸受
２６  機構収納空間
３０ａ  凹陥部
５０  逆転防止機構
５３  切換レバー
【図１】
0004785293.tif 000002
【図２】
0004785293.tif 000003
【図３】
0004785293.tif 000004
【図４】
0004785293.tif 000005